(57)【特許請求の範囲】
【請求項１】
液体試料を塗布するための試験フィールド（２）を備え、判定される検体による検知可能な変化を受ける試験要素（４）と、前記変化を検知し、それに応じて電気的検知信号を発生させる検知器（５）と、検知器（５）の下流に配置され、検知信号を評価して測定結果を形成する評価回路（６）と、前記測定結果を表示するために評価回路（６）と接続された表示デバイス（７）と、検知器（５）、評価回路（６）及び表示デバイス（７）を含む電気装置構成要素に電力を供給するための電源（１０）とからなる装置構成要素を有し、電気装置構成要素の少なくともいくつかが、ポリマー・エレクトロニクスにより形成され、
試験フィールド（１８）および検知器（１９）を備える少なくとも１つのさらなる試験要素（１７）が設けられ、前記検知器（５，１９）が選択回路（２０）を介して前記評価回路（６）と接続され、かつ、前記選択回路（２０）が、前記検知器（５，１９）のうちの１つのみを常に選択し、１回のみの使用のために１つの検知器（５，１９）を前記選択回路（２０）と結合し、測定が行われた後に未使用の検知器を選択し、
前記装置構成要素が、平坦な支持部（１）上に形成されており、前記試験フィールド（２，１８）が破線（２７）によって互いに分離されたゾーン（２６）内の前記支持部（１）の縁部領域内に配置され、かつ、各ゾーン（２６）が、その中にある試験フィールドが使用された後に、前記支持部（１）から取り外されることを特徴とする測定装置。
【請求項２】
測定プロセス中の検体の判定を制御するコントローラ（８）が、測定装置上の作動要素（９）が動作されること、測定装置上のカバーが取り外されること、前記試験要素（４）がカード型の支持部（１）と結合されること、および液体試料が前記試験フィールド（２）上に塗布されることから選ばれる少なくとも１つに応答して、前記測定プロセスを作動させるための手段を有することを特徴とする請求項１に記載の測定装置。
【請求項３】
前記コントローラ（８）が、同じ試験要素（４）でのさらなる測定プロセスを防止するための手段を有することを特徴とする請求項２に記載の測定装置。
【請求項４】
測定装置が、環境の影響に対して密封する少なくとも前記試験フィールド（２）の領域内に、少なくとも１つの取外し可能なカバー（２１）を有することを特徴とする請求項１〜３のいずれかに記載の測定装置。
【請求項５】
前記電源（１０）が充電可能な蓄電器（１２）であることを特徴とする請求項１〜４のいずれかに記載の測定装置。
【請求項６】
前記液体試料として血液を得るために、穿刺補助具（１３，１３’，１３”）が一体化されていることを特徴とする請求項１〜５のいずれかに記載の測定装置。
【請求項７】
前記選択回路（２０）が、表示手段を駆動して、現在使用可能な検知器に割り当てられた試験フィールドを表示することを特徴とする請求項１〜６のいずれかに記載の測定装置。
【請求項８】
前記試験フィールド（２，１８）が使用前に取り外されるカバー（２１，２４）でそれぞれカバーされ、前記選択回路（２０）と結合された検知手段（２２）がカバー（２１’，２４，２８）の領域内に配置され、かつ、前記選択回路（２０）が取り外された前記カバー（２１’，２４，２８）を検知することを特徴とする請求項１〜７のいずれかに記載の測定装置。
【発明の詳細な説明】
【技術分野】
【０００１】
本発明は、以下の装置構成要素、すなわち、液体試料を塗布するための試験フィールドを備え、判定される検体による検知可能な変化を受ける試験要素と、前記変化を検知し、それに応じて電気的検知信号を発生させる検知器と、検知器の下流に配置され、検知信号を評価して測定結果を形成する評価回路と、前記測定結果を表示するために評価回路と接続された表示デバイスと、電気装置構成要素に電力を供給するための電源とからなり、液体試料中の検体を判定するための測定装置に関する。
【背景技術】
【０００２】
特許文献１から公知であるこのような測定装置は、例えばクレジット・カードの形状およびサイズを有する支持部の上に形成され、下部支持部、および有色または透明のカバー部から成り、両方ともプラスチック製であり、互いに接続、例えば接着されている。支持部とカバー部の間には、検知器を備える試験要素によって形成された電気化学バイオ・センサと、メモリを備えるマイクロ・プロセッサから成る評価回路と、例えば液晶ディスプレイから成る表示デバイスと、作動要素と、太陽電池またはバッテリから成る電源とが配置されている。カバー部に含まれる液体試料を塗布するための試験フィールドは、液体経路を介してバイオ・センサと連絡しており、液体経路およびバイオ・センサは、下部支持部の中か、支持部に差し込まれた別個のチップ上のいずれかに形成されている。液体試料中の複数の検体を判定するために、複数のバイオ・センサが設けられ、液体試料を塗布するための試験フィールドに別々の液体経路を介して接続されている。
【０００３】
電子光学式バイオ・センサを備えるそれに匹敵する測定装置は、特許文献２から公知である。これは特に、その製造中または製造後に測定装置を較正する方法を特定している。
【０００４】
公知のカード型測定装置は、健康、食品および環境の分野で直接分析・診断を可能にし、測定結果はカードから直接読取り可能である。測定結果は、さらにカードに保管され、外部読取機によって読み出されることができる。カード型測定装置は使い捨て品である。液体経路およびおそらくバイオ・センサは、測定を行った後より長く使用されるために、液体経路およびバイオ・センサがカード自体に形成されている場合、カード型測定装置全体を廃棄する必要がある。しかし、このことは、測定が極めてまれに、すなわち年に数回しか行われないとき、コストの理由から実用的ではない。
【特許文献１】米国特許第６,３００,１４１号明細書
【特許文献２】米国特許第５,５８０,７９４号明細書
【発明の開示】
【発明が解決しようとする課題】
【０００５】
したがって、本発明の目的は、簡単かつ簡便に管理できるばかりでなく、コストに影響を及ぼす液体試料中での検体の判定を可能にすることにある。
【課題を解決するための手段】
【０００６】
Ｆｒａｕｎｈｏｆｅｒ  Ｍａｇａｇｉｎｅ，４，２００１年，８頁〜１３頁から公知であるように、導電性または半導電性プラスチックは、電子回路構成要素および回路を廉価で大量生産する方法をかねてから提供している。これらの例は、フィルム・バッテリ、有機太陽電池、有機発光ダイオード（ＯＬＥＤ）製のディスプレイ、および例えばポリマーなどの（半）導電性の有機材料製の集積回路（プラスチック集積回路＝ＩＰＣ）である。この新技術に対して、有機エレクトロニクス、ポリマー・エレクトロニクス、ポリトロニクス（polytronics）、エレクトロニック・プラスチックまたは導電性プラスチックなど の用語が、しばしば同義で使用される。
【０００７】
本発明によれば、上述の目的は、明細書の冒頭で特定されたタイプの測定装置内の電気装置構成要素の少なくともいくつかが、ポリマー・エレクトロニクスを基にして形成されることで達成される。好ましくは、電気装置構成要素のすべてが、ポリマー・エレクトロニクスに基づいて形成される。本発明の測定装置は、これによって特に廉価に製造され、例えば、頻繁な例えば毎日の測定のための１回使用の物品として実施可能である。したがって、ポリマー・エレクトロニクスで製造される装置構成要素は、例えば溶液中のポリマー（いわゆる電子インク）を使用して、プリント技術によって、例えば平坦な支持部（カード、フィルムなど）上に塗布されることができる。プリントおよび積層技術は電気化学センサ（グルコース・センサ）の製造において公知であり、それによって、完成した測定装置が、単一のプリント技術プロセスで支持部上に塗布されることができる。この場合、測定装置のすべての装置構成要素を支持部上に集積させてもよく、あるいは、前記試験フィールドおよび前記試験要素、または前記試験フィールド、前記試験要素および前記検知器がこれらを第１の装置ユニット内に形成して設けられ、他の装置構成要素を含むさらなる装置ユニットにインターフェースを介して結合させることができる。そのとき、第１の装置ユニットの装置構成要素が、別個のしたがって交換可能な支持部上に形成され、例えば他の装置構成要素を有する支持部上に固定、例えば差し込まれることができる。
【０００８】
本発明による測定装置の装置構成要素は、好ましくは、検体を判定するための測定プロセスを制御するコントローラをさらに備える。測定プロセスを活性化させるために、コントローラは、測定装置上の作動要素の動作、例えば釦の操作、測定装置上のカバーの取外し、または試験フィールド上への液体試料の塗布に応答する手段を有してもよい。カバーは、例えば試験フィールドおよび／または電子光学要素（例えば太陽電池）の領域内で、例えば、測定装置を完全にまたは局所的にカバーし、その取外しが電気的に例えば接点を形成または破壊することによってまたは光学的に検知されるフィルムであってもよい。少なくとも試験フィールドの領域内で水蒸気および／または酸素などの環境の影響に対して測定装置をさらに密閉するカバーは、完全な測定要素のためのパッケージから構成されてもよい。試験フィールドおよびポリマー・エレクトロニクスを光に対して保護するために、カバーはさらに不透明であることが好ましい。予想される測定装置の使用の前に例えばフィルムまたは被覆物からなるカバーの取外しが意図されない場合、カバーは、少なくとも局所的に、特に表示デバイスおよび電源として使用される太陽電池の領域内で透明であるように設計されている。
【０００９】
コントローラは、好ましくは、すでに使用された試験要素の再使用または複数回の使用を不可能にする同じ試験要素でのさらなる測定プロセスを防止するための手段をさらに有する。測定装置が単一の試験要素のみしか備えていない場合、再使用の保護は測定装置全体に関係する。以下で詳細に説明するように、測定装置が複数の試験要素を有する場合、再使用の防止は、最初は各個別の試験要素に関係し、すべての試験要素が使用された後には測定装置自体のみに関係する。
【００１０】
これに関連して、測定装置は、好ましくは、試験要素または測定装置が使用可能でないことを表示するために、コントローラによって駆動されることができる表示手段を有する。試験要素が１回使用されると、関連する測定プロセスの終わりに使用不可能性が適用される。使用不可能性は、さらに、試験要素の所定のパラメータ、例えば電気伝導度を検知し、評価することによって、まだ使用されていない試験要素にも達成される。使用不可能性は測定装置の表示デバイスを介して表示されてもよい。電源と関係なく使用不可能性を恒久的に表示できるようにするために、表示は、双安定性、すなわち、表示状態と非表示状態の間で切替可能としてもよく、エネルギーは切替のためだけに必要とされる。別法として、例えば、表示は、電気化学的または電熱的駆動によって測定デバイス上の位置で開始され、色の変化に至る化学反応の結果に由来してもよい。
【００１１】
電源は、好ましくはポリマー・エレクトロニクスにおける太陽電池またはバッテリであってもよい。バッテリの場合、測定装置の製造とその使用の間のバッテリの放電による問題点を回避するために、測定装置が使用される直前までバッテリが形成されないように、例えば、操作フィールドを押圧してパッケージを引き裂くことなどによる測定装置の手動動作まで、電解液とバッテリの電極との接触を遅らせてもよい。測定プロセスが所定の時間内で行われるために、電源は、測定時間に応じて必要なエネルギーを供給する充電可能な蓄電器を含むことが好ましい。例えば二層蓄電器（スーパ・キャップまたはスーパ・キャパシタ）などの蓄電器が、例えば、太陽電池またはバッテリによって直接または電圧変換器を介して所定の電圧に充電される。意図された充電状態に到達すると、自動的にまたは使用者の指示で表示デバイスを介して任意に充電状態を表示した後、測定が開始される。また、蓄電器は接点を介しておよび／または接点なしで例えば導電性または蓄電性のカップリングを介して外部から充電されてもよく、このときは太陽電池またはバッテリを省略してもよい。
【００１２】
血液中の選択された検体、例えばグルコースまたはラクテートの判定に関連して、穿刺補助具、特に針またスパイクが、血液試料を得るために測定装置内に好ましくは一体化されている。この場合、穿刺補助具は試験フィールドまたは複数の試験フィールドの外部に配置されてるので、穿刺後に血液の液滴を試験フィールド上に移送しなければならない。別法として、血液の液滴が穿刺具とともに直接試験フィールドに到達するように、穿刺補助具が試験フィールド内にまたは試験フィールドのすぐ傍に配置される。
【００１３】
本発明による測定装置の複数回の使用を可能にするために、有利には試験フィールドおよび検知器を備える少なくとも１つのさらなる試験要素が提供され、検知器が選択回路を介して評価回路と接続されている。選択回路は、１つの検知器のみを常に選択し、１回のみの使用のためにそれを選択回路と結合し、引き続き、測定が行われた後に未使用のバイオ・センサを選択する。複数回の使用が可能なため、本発明による測定装置は、１回しか使用できない装置よりもはるかにコスト効果があり、使用者にとって便利である。選択回路は、コントローラの一部であってもよく、そのとき、検知器を有する単一の未使用の試験要素が評価回路に常に接続されることを確実にする。
【００１４】
表示デバイスの適切な駆動によって、現在使用可能なそれぞれの試験要素に割り当てられている試験フィールドを使用者に示し、さらに、すべての使用可能な試験要素が使用された後、測定装置が使用できないことを表示すことが可能である。未使用の試験フィールドを保護するために、使用前に取り外されるカバー、特にフィルムで試験フィールドがカバーされてもよい。カバーのないことは、これらの試験フィールドがもはや使用できないことを使用者に直接示す。前に使用された試験フィールドまたは不慮にもしくはカバーの損傷によって露出された試験フィールドでさえもさらなる使用を防止できるように、選択回路が、例えば破壊可能な電気導電体ループのような検知手段を介して取り外されたカバーを検知してもよい。このことは、フィルムが剥がれていることを最初に検知したときはいつでも、−まだ選択されていない場合−選択回路は指定された検知器を選択し、測定のための十分な所定時間の後、さらなる使用を防止することで行われる。別法としてまたはこれに加えて、選択回路は、測定装置上の作動要素の動作、例えば制御ボタンの駆動または試験フィールドの１つへの液体の塗布に応答し、−まだ選択されていない場合−測定のために指定された検知器を選択する手段を有する。
【００１５】
また、平坦な支持部の縁部領域内の試験フィールドが破線によって互いに分離されたゾーン内に配置されてもよい。この場合、各ゾーンは、その中にある試験フィールドが使用された後、支持部から取り外されることができる。そのとき、ゾーン内の試験フィールドは、好ましくは、隣のゾーンによってそれぞれカバーされ、この隣接するゾーンが取り外された後でしかアクセスできないように配置されている。この効果は、試験フィールドが所定の順序で使用されることしかできないことである。ここで再び、選択回路が、まだ使用することができる試験フィールドを識別するために、検知手段を介して取り外されたゾーンを検知してもよい。
【００１６】
以下の図面を参照にして、本発明をさらに説明する。
【発明を実施するための最良の形態】
【００１７】
図１は、液体試料を塗布するための試験フィールド２がその上に形成されたチェック・カード型の支持部１を示す。試験フィールド２は、液体経路３を介してまたは中間部材を介することなく直接、判定されるべき検体による検知可能な変化を受ける試験要素４と連絡している。この変化は、その機能として電気的検知信号を発生する検知器５によって、例えば光学的または電気化学的に検知される。試験要素４が判定される検体に反応する例えば酵素、抗体または微生物などの生物学的または化学的構成要素である場合、試験センサ４および検知器５はともにいわゆるバイオ・センサを形成する。このようなセンサ構造の例は、米国特許第５,９９７,８１７号明細書または米国特許第６,０３６,９１９号明細書から公知である。液体試料から２つ以上の検体を判定しようとする場合、検知器を備える追加の試験要素が、当然設けられ、試験フィールド２と連絡する。
【００１８】
検知器５は、測定結果を形成するために検知信号を評価し、表示デバイス７によって測定結果を視覚化する評価回路６と接続されている。測定プロセスは、この目的のために検知器５、評価回路６および表示デバイス７と接続されているコントローラ８によって制御される。同様にコントローラ８と接続されている作動要素９によって、その最も簡単な場合単一の操作釦によって、例えばオン・オフの切替、リセット、表示デバイス７に示された命令の動作など、測定装置の基本的な機能を行うことが可能である。表示デバイス７は、文書または絵の形態の他に、測定装置の機能ステイタスの形態で実行される作動動作を使用者に示してもよい。装置構成要素５〜９は好ましくは太陽電池１１を備える電源１０によって電力が供給され、太陽電池１１は、スペースを節約するために例えば表示デバイス７の下に配置され、電池１１を透過する周辺光によって照射されることができる。電源１０は、さらに、太陽電池１１によって所定の電圧まで充電され、要求に応じて十分なレベルで測定プロセスのために必要とされるエネルギーを迅速に供給することができる蓄電器１２を含むことが好ましい。例えば電源１０および／または表示デバイス７を除く電子装置構成要素５〜１２のすべてまたは少なくともいくつかは、ポリマー・エレクトロニクスで設計され、例えばプラスチック支持部１上にプリントされる。
【００１９】
その上に形成された装置構成要素を備える支持部１は、本実施例では、装置構成要素２〜１２を外部からの環境の影響に対して保護する剥ぎ取り式フィルム形態のカバー２１でカバーされている。カバー２１は、不透明であってもよく、一方では光の保護を提供し、他方では測定装置が使用される前にフィルム２１が剥されたことを太陽電池１１または別の電子光学検知要素（ここでは図示せず）に検知させてもよい。測定装置が使用されている間でも恒久的な保護をカバー２１に付与しようとする場合、カバー２１は少なくとも表示デバイス７および太陽電池１１の領域内で透明であり、試験フィールド２の領域内に開口を有する。
【００２０】
本実施例ではスパイク１３である穿刺補助具が、液体試料として血液を得るために、支持部１上の試験フィールド２の領域内に一体化されている。例えば、機械的な予応力に対して指の圧力を受けてスパイク１３で指が突き刺される試験フィールド２を覆うブリスター・カバーの下に、スパイク１３を配置してもよい。代替の手段として、カード型支持部１の材料から成る穿刺補助具１３’が、試験フィールド２の近傍に配置されていてもよい。
【００２１】
図２に示すように、試験要素４およびオプションで検知器５を備える試験フィールド２が、別個の支持部１４上に形成され、インターフェース１５または１６を介してカード型支持部１に連結されていてもよい。
【００２２】
図３は、本発明による測定装置の電気回路の例を示している。入力側で、評価回路６は、検知器５およびそれによって発生される検知信号の性質に応じて、その出力電圧を増幅するか、または出力電流を電圧に変換する増幅器２９を有する。このようにして得られた電圧は、制御可能なスイッチ３０を介して、本実施例ではデュアル・スロープＡＤＣであり、デジタル直列測定結果を発生させるアナログ／デジタル変換器（ＡＤＣ）３１へ伝送される。この測定結果は、クロック制御下でゲート３２を介してシフト・レジスタ３３に読み込まれ、そこから、デコーダ・ロジック３４を介してそれが視覚化される表示デバイス７へ伝送される。制御可能なスイッチ３０を使用して、アナログ／デジタル変換器３１の入力を本実施例ではコントローラ８によって供給される基準電圧 Ｕrefと接続することができる。さらに、スイッチ３０は、図４を参照して以下に説明するように、他の検知器を選択するために使用してもよい。この目的のために、コントローラ８は、スイッチ３０を駆動し、また、アナログ／デジタル変換器３１のためのリセット信号およびゲート３２のためのクロック信号を発生させる。
【００２３】
最後に、コントローラ８はまた、較正データ・メモリ３６内に含まれる較正データに基づいて、計算器３５によりシフト・レジスタ３３内に含まれるデジタル測定結果を修正することによって測定装置の較正を制御する。較正データ・メモリ３６は、較正データが接点を介しておよび／または接点なしで例えばトランスポンダで、読み込まれるプログラム可能なメモリ（例えばＥＥＰＲＯＭ）であってもよい。あるいは、較正データ・メモリ３６は、レーザーまたはそれ以外の手段によって電熱的である電気接続構造であってもよい。これは、不完全に制御可能な製造条件のため、測定装置のバッチ特異的較正を実行する必要があるためである。一般に、これは、既知の濃度を有する参照試料助けを借りて製造後に測定装置を試験し、測定結果における既知の濃度の再現性をチェックすることによって行われる。バッチ特異的変動のため、測定結果を修正する較正データを備えた測定装置を用意する必要がある。測定装置の製造中でさえも、測定装置のいくつかをそれらの製造後に較正し、それらの製造中に較正データをバッチの他の測定装置に入力することによって、較正を導入することは勿論可能である。
【００２４】
図４に示す例示的な実施形態では、試験フィールド１８および検知器１９を備えたさらなる試験要素１７が、試験フィールド２および検知器５を備えた試験要素４に加えて、カード型支持部１上に形成される。検知器１９は選択回路２０と接続され、この選択回路２０は、コントローラ８の部品であり、１つだけの試験要素、具体的には未使用のものを常に選択し、関連する検知器を評価回路６と接続し、測定が行われた後にまだ未使用の試験要素を次の測定のために選択する。評価回路６が、表示デバイス７によって可視化される測定結果を形成するために、評価回路とそれぞれ接続された検知器の検知信号を評価する。測定装置の基本的な機能は作動要素９によって行われる。電気装置構成要素５〜９、１９および２０には電源１０によって電力が供給される。ここで再び、電気装置構成要素５〜１０、１９および２０のうちの少なくともいくつかは、ポリマー・エレクトロニクスで設計され、例えばプラスチック支持部１上にプリントされる。
【００２５】
図５は本発明による測定装置の例示的な実施形態の図を示し、試験フィールド２、１８と、表示デバイス７と、作動要素９とを備えた支持部１を見ることができる。試験フィールド２、１８は、本実施例ではフィルムの形態の剥ぎ取り式カバー２１によってカバーされている。さらなる試験フィールド１８の１つに割り当てられたフィルム２１’の例を参照にして見ることができるように、検知手段２２は、破壊可能なライン・ループなどの形態で設けられ、フィルムを取り除くかまたは損傷させると、直ちに選択回路２０へ信号を送る。フィルム２１’を取り除くと、割り当てられた試験要素および検知器を備えた下方にある試験フィールドが、所定の時間にわたって測定のために選択される。この時間が経過した後および／または測定の終了後、当該試験要素はその後の選択および使用に備えて遮断される。
【００２６】
図６に示す例示的な実施形態では、試験フィールド２、１８は、例えば公知の米国特許第５,９９７,８１７号明細書のように設計され、取り外すことができるカバー２４によって保護されているカード型支持部１の縁部の溝様窪み２３内に配置されている。すでに使用された試験フィールド２、１８は、使用者にすぐに明らかになる。カバー２４が取り除かれたという事実は、図５による実施例でフィルム２１’の剥ぎ取りとして同様に検知される。表示デバイス７は、本実施例では矢印２５によって、次の使用のために選択される例えば試験フィールド２を示す。ここに示すように、カバー２４を取り除いた後、血液を採取するために穿刺補助具１３”として使用することができる鋭い縁部で、カバー２４を設計してもよい。
【００２７】
図７に示す例示的な実施形態では、試験フィールド、試験要素およびオプションでそれらに含まれる検知器を使用した後、したがって再使用することができないとき、個々のゾーン２６が支持部１から取り除かれるように、破線２７によって互いに分離されているゾーン２６内に、カード型支持部１の縁部の試験フィールド２、１８が配置されている。これを効果的に行うことができるように、試験フィールド２、１８は、隣接するゾーン２６に向かってそれぞれ破線２７の領域内に配置され、隣接するゾーンが取り外されるまではアクセスできない。
【００２８】
図８に示す例示的な実施形態では、試験要素および検知器（ここでは図示せず）を備えた試験フィールド２、１８が、他の装置構成要素例えば符号７および９を有する支持部１上に互いに重ねて貼り付けられた別個の支持フィルム２８上に配置されている。支持フィルム２８は、次々に剥されることができ、最上部にある支持フィルム２８上の試験フィールドのみが各々の場合に使用可能であり、一方その下方にある試験フィールドは保護されている。検知器を支持部１の選択回路と電気的に接続するために、支持フィルム２８は支持部１に通じる接点を備えている。支持フィルム２８が剥されたという事実は、先に説明したように電気的にまたは光学的に検知される。複数本の水平な線によって示すように、支持フィルム２８は支持部１の全領域にわたって延びていてもよく、この場合、支持フィルムは表示デバイス７および操作ボタン９の領域内で透明である。
【図面の簡単な説明】
【００２９】
【図１】１つの試験要素を備えた本発明による測定装置の第１の例示的な実施形態を示す簡略化されたブロック線図である。
【図２】図１による例示的な実施形態の変形例を示す図である。
【図３】本発明による測定装置の電子回路の簡略化された実施例を示す図である。
【図４】複数の試験要素を備えた本発明による測定装置の別の例示的な実施形態を示す簡略化されたブロック線図である。
【図５】本発明による測定装置の例示的な実施形態を示す図である。
【図６】本発明による測定装置の例示的な実施形態を示す図である。
【図７】本発明による測定装置の例示的な実施形態を示す図である。
【図８】本発明による測定装置の例示的な実施形態を示す図である。
【図１】
0004808968.tif 000002
【図２】
0004808968.tif 000003
【図３】
0004808968.tif 000004
【図４】
0004808968.tif 000005
【図５】
0004808968.tif 000006
【図６】
0004808968.tif 000007
【図７】
0004808968.tif 000008
【図８】
0004808968.tif 000009